(57)【要約】【課題】複数の区画（例えば、住戸）を備えた建物（例えば、集合住宅）における工事の進捗状況を区画毎に正確に把握できるようにする。【解決手段】区画を識別するための情報（例えば、２０５号室という情報）Ｃ１と、工事の進捗状況に関する情報（例えば、２５％のクロス貼り作業が完了したという情報）Ｃ２が情報担持媒体２に担持されている。この情報担持媒体２は搬出可能であって所定の箇所（例えば、各住戸のドアの前）Ｄ１に仮置きされており、情報読取部３は所定の場所（例えば、工事管理事務所）Ｄ２に設置されている。また、該情報読取部３による情報の読み取りは、該情報読取部３に対向する位置に前記情報担持媒体２を掲げさえすれば良く、複雑な操作は不要である。したがって、誰であっても簡単かつ確実にデータ入力を行うことが出来、工事の進捗状況を正確に把握することが可能となる。【選択図】図１
2013120408.tif 000002
【特許請求の範囲】
【請求項１】
複数の区画を備えた建物における工事の進捗状況を区画毎に管理する工事管理システムにおいて、
区画を識別するための情報（以下、“区画情報”とする）、及び該区画における工事の進捗状況に関する情報（以下、“進捗情報”とする）を担持可能であって、搬出可能な状態で所定の箇所（以下、“第１の箇所”とする）に仮置きされる情報担持媒体と、
該第１の箇所と異なる箇所（以下、“第２の箇所”とする）に設置されると共に、対向する位置に掲げられた前記情報担持媒体から該情報担持媒体に担持された情報を読み取る情報読取部と、
該情報読取部が前記情報担持媒体から情報を読み取った時刻についての情報（以下、“時刻情報”とする）を取得する時刻情報取得部と、
前記情報読取部及び前記時刻情報取得部からの情報に基づき、各区画の工事の進捗状況を前記時刻情報に関連付けて整理する情報整理部と、
該情報整理部が整理した情報を表示する情報表示部と、
を備えたことを特徴とする工事管理システム。
【請求項２】
前記情報担持媒体は、前記区画情報及び前記進捗情報を担持する紙媒体である、
ことを特徴とする請求項１に記載の工事管理システム。
【請求項３】
工事をした作業者を識別するための情報（以下、“作業者情報”とする）を前記情報担持媒体に担持させるための作業者情報担持手段、
を備えたことを特徴とする請求項１又は２に記載の工事管理システム。
【請求項４】
工事に支障を来すようなトラブルが発生した旨の情報を前記情報担持媒体又は前記情報読取部に入力するためのトラブル情報入力手段、
を備えたことを特徴とする請求項１乃至３のいずれか１項に記載の工事管理システム。
【請求項５】
複数の区画を備えた建物における工事の進捗状況を区画毎に管理する工事管理方法において、
所定の箇所（以下、“第１の箇所”とする）に仮置きされてある情報担持媒体であって、区画を識別するための情報（以下、“区画情報”とする）、及び該区画における工事の進捗状況に関する情報（以下、“進捗情報”とする）を担持している情報担持媒体を該第１の箇所から搬出する工程と、
前記第１の箇所と異なる箇所（以下、“第２の箇所”とする）に設置されている情報読取部に対向する位置に前記情報担持媒体を掲げることにより、該情報担持媒体に担持された情報を前記情報読取部に読み取らせる工程と、
該情報読取部が前記情報担持媒体から情報を読み取った時刻についての情報（以下、“時刻情報”とする）を時刻情報取得部が取得する工程と、
前記情報読取部及び前記時刻情報取得部からの情報に基づき、各区画の工事の進捗状況を前記時刻情報に関連付けて情報整理部が整理する工程と、
該情報整理部が整理した情報を情報表示部が表示する工程と、
を備えたことを特徴とする工事管理方法。
【請求項６】
工事の進捗がどの程度であるかの判断を実施する、
ことを特徴とする請求項５に記載の工事管理方法。
【請求項７】
工事をした作業者を識別するための情報（以下、“作業者情報”とする）を前記情報担持媒体に担持させる工程を、該情報担持媒体に担持された情報を前記情報読取部に読み取らせる前に実施する、
ことを特徴とする請求項５又は６に記載の工事管理方法。
【請求項８】
工事に支障を来すようなトラブルが発生した旨の情報を前記情報担持媒体又は前記情報読取部に入力する工程を、該トラブルが発生した場合に実施する、
ことを特徴とする請求項５乃至７のいずれか１項に記載の工事管理方法。
【発明の詳細な説明】
【技術分野】
【０００１】
本発明は、複数の区画を備えた建物における工事の進捗状況を区画毎に管理する工事管理システム、及び工事管理方法に関する。
【背景技術】
【０００２】
従来、集合住宅やオフィスビル等の建物を構築する際には、担当者（例えば、工事管理者）が各住戸や各部屋を巡回し、工事の進捗状況を区画毎（住戸毎や部屋毎）に管理するようになっていた（例えば、特許文献１参照）。
【先行技術文献】
【特許文献】
【０００３】
【特許文献１】特開平２００９−２６５７６６号公報
【発明の概要】
【発明が解決しようとする課題】
【０００４】
しかしながら、住戸数や部屋数が多いと、各住戸や各部屋を頻繁に巡回することが困難になってしまい、工事の進捗状況を正確に把握できないおそれがあった。
【０００５】
本発明は、上述の問題を解消することのできる工事管理システム及び工事管理方法を提供することを目的とするものである。
【課題を解決するための手段】
【０００６】
請求項１に係る発明は、図１及び図２に例示するものであって、複数の区画（Ａ１１，…）を備えた建物（Ｂ）における工事の進捗状況を区画（Ａ１１，…）毎に管理する工事管理システム（１）において、
区画（Ａ１１，…）を識別するための情報（以下、“区画情報”とする）（Ｃ１）、及び該区画（Ａ１１，…）における工事の進捗状況に関する情報（以下、“進捗情報”とする）（Ｃ２）を担持可能であって、搬出可能な状態で所定の箇所（以下、“第１の箇所”とする）（Ｄ１）に仮置きされる情報担持媒体（２）と、
該第１の箇所（Ｄ１）と異なる箇所（以下、“第２の箇所”とする）（Ｄ２）に設置されると共に、対向する位置に掲げられた前記情報担持媒体（２）から該情報担持媒体（２）に担持された情報（Ｃ１，Ｃ２）を読み取る情報読取部（３）と、
該情報読取部（３）が前記情報担持媒体（２）から情報を読み取った時刻についての情報（以下、“時刻情報”とする）（Ｃ３）を取得する時刻情報取得部（４）と、
前記情報読取部（３）及び前記時刻情報取得部（４）からの情報（Ｃ１，Ｃ２，Ｃ３）に基づき、各区画（Ａ１１，…）の工事の進捗状況を前記時刻情報（Ｃ３）に関連付けて整理する情報整理部（５）と、
該情報整理部（５）が整理した情報を表示する情報表示部（６）と、を備えたことを特徴とする。
【０００７】
請求項２に係る発明は、請求項１に係る発明において、前記情報担持媒体（２）は、前記区画情報（Ｃ１）及び前記進捗情報（Ｃ２）を担持する紙媒体であることを特徴とする。
【０００８】
請求項３に係る発明は、請求項１又は２に係る発明において、工事をした作業者を識別するための情報（以下、“作業者情報”とする）（Ｃ４）を前記情報担持媒体（２）に担持させるための作業者情報担持手段（７）、を備えたことを特徴とする。
【０００９】
請求項４に係る発明は、請求項１乃至３のいずれか１項に記載の発明において、工事に支障を来すようなトラブルが発生した旨の情報を前記情報担持媒体（２）又は前記情報読取部（３）に入力するためのトラブル情報入力手段（８）、を備えたことを特徴とする。
【００１０】
請求項５に係る発明は、複数の区画（Ａ１１，…）を備えた建物（Ｂ）における工事の進捗状況を区画（Ａ１１，…）毎に管理する工事管理方法において、
所定の箇所（以下、“第１の箇所”とする）（Ｄ１）に仮置きされてある情報担持媒体（２）であって、区画（Ａ１１，…）を識別するための情報（以下、“区画情報”とする）（Ｃ１）、及び該区画（Ａ１１，…）における工事の進捗状況に関する情報（以下、“進捗情報”とする）（Ｃ２）を担持している情報担持媒体（２）を該第１の箇所（Ｄ１）から搬出する工程（図５のＳ５参照）と、
前記第１の箇所（Ｄ１）と異なる箇所（以下、“第２の箇所”とする）（Ｄ２）に設置されている情報読取部（３）に対向する位置に前記情報担持媒体（２）を掲げることにより、該情報担持媒体（２）に担持された情報（Ｃ１，Ｃ２）を前記情報読取部（３）に読み取らせる工程（図５のＳ６参照）と、
該情報読取部（３）が前記情報担持媒体（２）から情報を読み取った時刻についての情報（以下、“時刻情報”とする）（Ｃ３）を時刻情報取得部（４）が取得する工程（図５のＳ７参照）と、
前記情報読取部（３）及び前記時刻情報取得部（４）からの情報（Ｃ１，Ｃ２，Ｃ３）に基づき、各区画（Ａ１１，…）の工事の進捗状況を前記時刻情報（Ｃ３）に関連付けて情報整理部（５）が整理する工程（図５のＳ８参照）と、
該情報整理部（５）が整理した情報を情報表示部（６）が表示する工程（図５のＳ９参照）と、を備えたことを特徴とする。
【００１１】
請求項６に係る発明は、請求項５に記載の発明において、工事の進捗がどの程度であるかの判断を実施する（図５のＳ４参照）ことを特徴とする。
【００１２】
請求項７に係る発明は、請求項５又は６に記載の発明において、工事をした作業者を識別するための情報（以下、“作業者情報”とする）（Ｃ４）を前記情報担持媒体（２）に担持させる工程（図５のＳ１参照）を、該情報担持媒体（２）に担持された情報を前記情報読取部（３）に読み取らせる前に実施することを特徴とする。
【００１３】
請求項８に係る発明は、請求項５乃至７のいずれか１項に記載の発明において、工事に支障を来すようなトラブルが発生した旨の情報（Ｃ５）を前記情報担持媒体（２）又は前記情報読取部（３）に入力する工程（図５のＳ３参照）を、該トラブルが発生した場合に実施することを特徴とする。
【００１４】
なお、括弧内の番号などは、図面における対応する要素を示す便宜的なものであり、従って、本記述は図面上の記載に限定拘束されるものではない。
【発明の効果】
【００１５】
請求項１，２，５，６に係る発明によれば、前記情報担持媒体は搬出可能であって前記第１の箇所に配置（仮置き）されており、前記情報読取部は所定の場所（前記第２の箇所）に設置されている。また、該情報読取部による情報の読み取りは、該情報読取部に対向する位置に前記情報担持媒体を掲げさえすれば良く、複雑な操作は不要である。したがって、工事の進捗を管理する専門の要員以外の人（例えば、その区画の工事を行う作業者や職長）であっても簡単かつ確実にデータ入力を行うことが出来、工事の進捗状況を正確に把握することが可能となる。また、工事の進捗を管理する専門の要員が各区画を頻繁に巡回することは不要となる。
【００１６】
請求項３及び７に係る発明によれば、誰が作業をしたかの情報を管理することができ、作業の質を向上させることができる。
【００１７】
請求項４及び８に係る発明によれば、トラブル発生の有無の情報を適確に管理することができる。
【図面の簡単な説明】
【００１８】
【図１】図１は、本発明に係る工事管理システムの全体構成の一例を示すブロック図である。
【図２】図２は、情報担持媒体の配置箇所及び情報読取部の配置箇所の一例を示す断面図である。
【図３】図３は、情報担持媒体の一例を示す模式図である。
【図４】図４は、情報担持媒体の他の例を示す模式図である。
【図５】図５は、本発明に係る工事管理方法の全体構成の一例を示すフローチャート図である。
【発明を実施するための形態】
【００１９】
以下、図１乃至図５に沿って、本発明の実施の形態について説明する。
【００２０】
本発明に係る工事管理システムは、複数の区画（図２の符号Ａ１１，…参照）を備えた建物（同図の符号Ｂ参照）における工事の進捗状況を区画毎に管理するシステムである。ここで、建物Ｂとしては、集合住宅や、集合住宅以外の建築物（例えば、オフィスビルやホテルなど）を挙げることができる。また、区画Ａ１１，…とは、壁などにより仕切られた工区（例えば、住戸や部屋）を意味するものである。
【００２１】
そして、本発明に係る工事管理システムは、図１に符号１で例示するものであって、上述の区画Ａ１１，…を識別するための情報（以下、“区画情報”とする）Ｃ１、及び該区画Ａ１１，…における工事の進捗状況に関する情報（以下、“進捗情報”とする）Ｃ２を担持可能である情報担持媒体２を備えている。この情報担持媒体２は、所定の箇所（以下、“第１の箇所”とする）Ｄ１に搬出可能（携行可能）な状態で仮置きされている。そして、該第１の箇所Ｄ１とは異なる所定の箇所（以下、“第２の箇所”とする）Ｄ２には、前記情報担持媒体２に担持された情報（つまり、前記区画情報Ｃ１及び前記進捗情報Ｃ２）を読み取る情報読取部３が設置されている。そして、この情報読取部３は、前記情報担持媒体２が前記第１の箇所Ｄ１から搬出されて該情報読取部３に対向する位置に掲げられた場合に前記区画情報Ｃ１及び前記進捗情報Ｃ２（つまり、前記情報担持媒体２が担持している情報）を読み取るように構成されている。
【００２２】
さらに、本発明に係る工事管理システム１は、
・  情報読取時刻（つまり、前記情報読取部３が前記情報担持媒体２から情報を読み取った時刻）についての情報（以下、“時刻情報”とする）Ｃ３を取得する時刻情報取得部４と、
・  前記情報読取部３及び前記時刻情報取得部４からの情報に基づき、各区画Ａ１１，…の工事の進捗状況を前記時刻情報Ｃ３に関連付けて整理する情報整理部５と、
・  該情報整理部５が整理した情報を表示する情報表示部６と、
を備えている。
【００２３】
ところで、上述の区画情報Ｃ１とは、例えば“２０５号室”“２０６号室”というような住戸を識別するための情報であり、上述の進捗情報Ｃ２とは、例えば“工事が２５％完了している”“工事が５０％完了している”というような情報である。なお、図１及び図３に示す例ではこれらの情報Ｃ１，Ｃ２はＱＲコード（登録商標）を用いて前記情報担持媒体２に担持させているが、もちろんこれに限られるものではなく、ＱＲコード（登録商標）以外のコード（つまり、マトリックス式やスタック式の二次元コードや、バーコード等の一次元コード）やその他の手法（例えば、磁気による記録）を用いても良い。そして、前記情報読取部３には、担持された情報を読み取ることができる装置（例えば、ＱＲコードリーダーやバーコードリーダー）を適宜用いると良い。また、前記区画情報Ｃ１及び前記進捗情報Ｃ２をコード等で前記情報担持媒体２に担持させる場合には、それらの情報の内容を視認できるように、前記区画情報Ｃ１の内容を示す文字（例えば、“２０５号室”という文字）や前記進捗情報Ｃ２の内容を示す文字（例えば、“進捗  ２５％”という文字）を前記情報担持媒体２に表示しておくと良い。さらに、それらの文字以外に、
・  作業を実施する期間（例えば、２０１０／６／４〜９）や、
・  作業の内容（例えば、クロス）や、
・  作業を担当する会社名（例えば、○○会社）
などを表示しておくと良い。なお、コード等ではなく文字を直接読み取ることができる装置を前記情報読取部３に使用した場合には、前記情報担持媒体２には前記区画情報Ｃ１や前記進捗情報Ｃ２を示す文字のみを表示し、コード等は使用しなくても良い。また、前記情報担持媒体２には紙（紙媒体）や、紙以外の公知の媒体（例えば、樹脂媒体）を使用すると良い。
【００２４】
ところで、図３に示す情報担持媒体２を使用する場合は、工事の進捗が２５％になるまでは該情報担持媒体２を前記第１の箇所Ｄ１に置いたままとし、工事の進捗が２５％に達した時点で該情報担持媒体２を前記第２の箇所Ｄ２まで搬送して前記情報読取部３による情報読取を行わせると良い。このような使用形態のため、該第１の箇所Ｄ１には、２５％の進捗の情報担持媒体２だけでなく、
・  ５０％の進捗の情報担持媒体２
・  ７５％の進捗の情報担持媒体２
・  １００％の進捗の情報担持媒体２
を併せて仮置きしておくと良い。なお、実施する工事には、クロス貼りのように時間が掛かるものから、コンセントのカバー取り付けのように時間が掛からないものまで色々な種類があって、時間が掛かる工事については何％の工事が終了したか（例えば、２５％の工事が終了したか、５０％の工事が終了したか、７５％の工事が終了したか、工事が完了したかなど）の細かな情報を取得したい場合が多く、時間が掛からない工事については工事が終了したかどうかの情報を取得すれば良い場合が多い。そこで、時間の掛かる工事については、図３に示すような、細かな進捗別の情報担持媒体２を用意しておき、時間の掛からない工事については、“進捗  １００％（つまり、完成）”の情報担持媒体２を１枚のみ用意しておくと良い
【００２５】
一方、図３に示す情報担持媒体２ではなく図４に符号１２で示す情報担持媒体を用いても良い。この情報担持媒体１２では、進捗情報は１つではなく、
・  ０〜２５％
・  〜５０％
・  〜７５％
・  検査可
の４つであり、４つの進捗情報Ｃ２１，Ｃ２２，…が区画情報Ｃ１と共にＱＲコード（登録商標）で担持されている。また、この情報担持媒体１２には、
・  前記区画情報Ｃ１の内容を示す文字（例えば、“２０５号室”という文字）や、
・  作業を実施する日（例えば、２０１２／６／４）や、
・  作業の内容（例えば、クロス）や、
・  作業を担当する会社名（例えば、○○会社）
等の文字を表示しておくと良い。図４に示す情報担持媒体１２を用いる場合は、作業者又は職長が毎日情報担持媒体１２を第１の箇所Ｄ１から第２の箇所Ｄ２に搬出し、進捗情報Ｃ２１，…を選択した上で前記情報読取部３による情報読取を行わせることとなる。したがって、該第１の箇所Ｄ１には工事日程分の枚数の情報担持媒体１２を用意しておく必要がある。図４に示す情報担持媒体１２を用いる場合は、前記情報読取部３による情報読取が毎日行われるので、情報読み取り忘れのチェックが容易となる。
【００２６】
一方、上述の時刻情報Ｃ３は、
・  年月日及び時分（或いは、時分ではなく、午前／午後や朝／夜というような大体の時刻）を特定できるもの
・  年月日のみを特定でき時分は特定できないもの
・  何らかの基準日からの経過時刻（例えば、着工日からの経過時刻）を特定できるもの
などを含む概念である。また、上述の時刻情報取得部４としては、前記情報読取部３に付属させたタイマー等を挙げることができる。
【００２７】
また一方、上述の情報表示部６としては、モニター（例えば、液晶モニター）やプリンターを挙げることが出来る。なお、前記情報整理部５が整理した情報がサーバーに保存されるようにしておいて、必要に応じて表示したりできるようにすると良い。
【００２８】
本発明によれば、前記情報担持媒体２，１２は搬出可能であって前記第１の箇所Ｄ１に配置（仮置き）されており、前記情報読取部３は所定の場所（前記第２の箇所）Ｄ２に設置されている。また、該情報読取部３による情報の読み取りは、該情報読取部３に対向する位置に前記情報担持媒体２，１２を掲げさえすれば良く、複雑な操作は不要である。したがって、工事の進捗を管理する専門の要員以外の人（例えば、その区画の工事を行う作業者や職長）であっても簡単かつ確実にデータ入力を行うことが出来、工事の進捗状況を正確に把握することが可能となる。また、工事の進捗を管理する専門の要員が各区画を頻繁に巡回することは不要となる。
【００２９】
ところで、前記情報担持媒体２，１２を仮置きする箇所（つまり、前記第１の箇所Ｄ１）や前記情報読取部３を設置する箇所（つまり、前記第２の箇所Ｄ２）は、工事関係者以外の者の立ち入りが禁止されているエリアに設ければ良い。前記第１の箇所Ｄ１としては、
・  各区画Ａ１１，…の近傍（例えば、各住戸のドアの前）や、
・  各区画Ａ１１，…の内部（例えば、各住戸の内部）や、
・  作業者が通る経路中
を挙げることが出来る。また、前記第２の箇所Ｄ２としては、工事管理事務所等を挙げることが出来る。
【００３０】
また、上述の工事管理システム１には、工事をした作業者を識別するための情報（以下、“作業者情報”とする）Ｃ４を前記情報担持媒体２，１２に担持させるための作業者情報担持手段（図１の符号７参照）を設けておくと良い。この作業者情報担持手段７としては、
・  前記作業者情報Ｃ４が担持されていて前記情報担持媒体２，１２に貼り付けることができるシール（図３及び図４の符号７参照）や、
・  前記作業者情報Ｃ４を捺印できるスタンプ（不図示）
を挙げることが出来る。この作業者情報担持手段７は、各作業者に携帯させるようにしても、或いは、決めた箇所（例えば、前記第１の箇所Ｄ１）に配置するようにしても、どちらでも良い。作業する前（区画への入室前）又は作業した後（区画からの退室後）に作業者が前記作業者情報担持手段７を使って前記情報担持媒体２，１２に前記作業者情報Ｃ４を担持させる（例えば、シールを１枚貼り付ける）ようにすると良い。このように作業者情報Ｃ４を担持（入力）させるようにすると、誰が作業をしたかの情報を管理することができ、作業の質を向上させることができる。
【００３１】
一方、上述の工事管理システム１には、図１に例示するように、工事に支障を来すようなトラブル（例えば、躯体にひび割れが見つかったというようなトラブル）が発生した旨の情報（以下、“トラブル発生情報”とする）Ｃ５を入力するためのトラブル情報入力手段８を設けておくと良い。そのようにした場合には、トラブル発生の有無の情報を適確に管理することができる。このトラブル情報入力手段としては、図３に符号８で示すようなカードを挙げることができ、前記情報読取部３に該カードを掲げることにより前記トラブル発生情報Ｃ５が該情報読取部３に入力されるようにすると良い。また、前記トラブル情報入力手段を、
・  前記トラブル発生情報Ｃ５が表示されていて前記情報担持媒体２，１２に貼り付けることができるシール（不図示）や、
・  前記トラブル発生情報Ｃ５を捺印できるスタンプ（不図示）
にしておいて、シールを貼ったりスタンプを押したりすることにより前記情報担持媒体２，１２にトラブル発生情報Ｃ５の入力を行うようにしても良い。この作業者情報担持手段７は、各作業者に携帯させるようにしても、或いは、決めた箇所に配置するようにしても、どちらでも良い。なお、上述のトラブル情報入力手段８は、トラブルが発生した旨の情報のみを入力するようにすると良く、そのトラブルの詳細は、作業者から詳細な報告を受けた担当者がキーボード等を使って任意に入力するようにすると良い。
【００３２】
一方、本発明に係る工事管理方法は、複数の区画Ａ１１，…を備えた建物Ｂにおける工事の進捗状況を区画毎に管理する方法であって、少なくとも以下の工程を備えている。すなわち、
・  所定の箇所（以下、“第１の箇所”とする）Ｄ１に仮置きされてある情報担持媒体２，１２であって、区画を識別するための情報（以下、“区画情報”とする）Ｃ１、及び該区画における工事の進捗状況に関する情報（以下、“進捗情報”とする）Ｃ２，Ｃ２１，…を担持している情報担持媒体２，１２を該第１の箇所Ｄ１から搬出する工程（図５のＳ５参照）
・  前記第１の箇所Ｃ１と異なる箇所（以下、“第２の箇所”とする）Ｄ２に設置されている情報読取部３に対向する位置に前記情報担持媒体２，１２を掲げることにより、該情報担持媒体２，１２に担持された情報を前記情報読取部３に読み取らせる工程（図５のＳ６参照）
・  該情報読取部３が前記情報担持媒体２，１２から情報を読み取った時刻についての情報（以下、“時刻情報”とする）Ｃ３を時刻情報取得部４が取得する工程（図５のＳ７参照）
・  前記情報読取部３及び前記時刻情報取得部４からの情報Ｃ１，Ｃ２，，Ｃ２１，…，Ｃ３に基づき、各区画の工事の進捗状況を前記時刻情報Ｃ３に関連付けて情報整理部５が整理する工程（図５のＳ８参照）
・  該情報整理部５が整理した情報を情報表示部６が表示する工程（図５のＳ９参照）
【００３３】
本発明によれば、前記情報担持媒体２，１２は搬出可能であって前記第１の箇所Ｄ１に配置（仮置き）されており、前記情報読取部３は所定の場所（前記第２の箇所）Ｄ２に設置されている。また、該情報読取部３による情報の読み取りは、該情報読取部３に対向する位置に前記情報担持媒体２，１２を掲げさえすれば良く、複雑な操作は不要である。したがって、工事の進捗を管理する専門の要員以外の人（例えば、その区画の工事を行う作業者や職長）であっても簡単かつ確実にデータ入力を行うことが出来、工事の進捗状況を正確に把握することが可能となる。また、工事の進捗を管理する専門の要員が各区画を頻繁に巡回することは不要となる。
【００３４】
なお、工事の進捗がどの程度であるかの判断を実施するようにすると良い。例えば、図３に符号２で例示するような情報担持媒体（つまり、進捗別に分けられた情報担持媒体）を使用する場合には、“工事の進捗がどの程度であって、工事が所定の進捗に達したか否か"の判断を、該情報担持媒体２を前記第１の箇所Ｄ１から搬出する工程の前に実施し、所定の進捗に達している場合にのみ該情報担持媒体２の搬出を実行すれば良い（図５のＳ４参照）。また、図４に符号１２で例示するような情報担持媒体（つまり、複数の進捗情報を担持している情報担持媒体）を使用する場合には、該情報担持媒体１２に担持された情報を前記情報読取部３に読み取らせる工程で“工事の進捗がどの程度であるか"の判断及び選択をし、その選択をした進捗情報を前記情報読取部３に読み取らせるようにすると良い。
【００３５】
一方、工事をした作業者を識別するための情報（以下、“作業者情報”とする）Ｃ４を前記情報担持媒体２，１２に担持させる工程（図５のＳ１参照）を、該情報担持媒体２，１２に担持された情報を前記情報読取部３に読み取らせる前に実施するようにしても良い。そのようにした場合には、誰が作業をしたかの情報を管理することができ、作業の質を向上させることができる。
【００３６】
また、工事に支障を来すようなトラブルが発生した旨の情報を前記情報担持媒体２，１２又は前記情報読取部３に入力する工程を、該トラブルが発生した場合に実施するようにしても良い（図５のＳ２，Ｓ３参照）。そのようにした場合には、トラブル発生の有無の情報を適確に管理することができる。なお、図５に例示するような工事管理方法は所定の間隔で（好ましくは毎日）実施するようにすると良く、該方法は、工事の進捗を管理する専門の要員以外の人（例えば、その区画の工事を行う作業者及び／又は職長）が実施するようにすると良い。
【符号の説明】
【００３７】
１                工事管理システム
２                情報担持媒体
３                情報読取部
４                時刻情報取得部
５                情報整理部
６                情報表示部
７                作業者情報担持手段
８                トラブル情報入力手段
Ａ１１，…          区画
Ｂ                建物
Ｃ１                区画情報
Ｃ２                進捗情報
Ｃ３                時刻情報
Ｃ４                作業者情報
Ｄ１                第１の箇所
Ｄ２                第２の箇所
【図１】
2013120408.tif 000003
【図２】
2013120408.tif 000004
【図３】
2013120408.tif 000005
【図４】
2013120408.tif 000006
【図５】
2013120408.tif 000007